(57)【要約】【課題】時計の指針を使用して、時刻以外の情報表示を行う際に、同時に時刻表示を行うことができるアナログ時計を提供する。【解決手段】指針の運針を行うモータと、モータに連結され、秒針、分針及び時針のそれぞれが接続された輪列と、表示するべき情報を入力する情報入力手段と、情報入力手段によって入力した情報を、秒針で表示するように、モータの回転を制御するとともに、現在時刻が正分になった時点で、情報を表示している位置から秒針を６０秒分進めるようにモータの回転を制御する指針制御手段とを備えた。【選択図】図１
2010243449.tif 000002
【特許請求の範囲】
【請求項１】
指針の運針を行うモータと、
前記モータに連結され、秒針、分針及び時針のそれぞれが接続された輪列と、
表示するべき情報を入力する情報入力手段と、
前記情報入力手段によって入力した情報を、前記秒針で表示するように、前記モータの回転を制御するとともに、現在時刻が正分になった時点で、前記情報を表示している位置から前記秒針を６０秒分進めるように前記モータの回転を制御する指針制御手段と
を備えたことを特徴とするアナログ時計。
【請求項２】
請求項１に記載のアナログ時計を備えることを特徴とする携帯機器。
【請求項３】
前記アナログ時計の秒針によって表示する情報は、前記携帯機器の状態を示す情報であることを特徴とする請求項１に記載の携帯機器。
【請求項４】
指針の運針を行うモータと、前記モータに連結され、秒針、分針及び時針のそれぞれが接続された輪列と、表示するべき情報を入力する情報入力手段とを備えるアナログ時計における運針制御方法であって、
前記情報入力手段によって入力した情報を、前記秒針で表示するように、前記モータの回転を制御するとともに、現在時刻が正分になった時点で、前記情報を表示している位置から前記秒針を６０秒分進めるように前記モータの回転を制御する指針制御ステップを有することを特徴とする運針制御方法。
【発明の詳細な説明】
【技術分野】
【０００１】
本発明は、電気式のアナログ時計（針式の機械時計でモータ等によって運針する時計）、電気式のアナログ時計を備えた携帯情報機器及び運針制御方法に関する。
【背景技術】
【０００２】
従来から、携帯電話に設けられている時計には高級感やお洒落さが足りないという問題を解決するために、筐体が開閉構造となるフリップ式の携帯情報機器において、筐体を閉じたときに外側となる部分に、針式のアナログ時計又は機械的に時刻表示を行う時計が設けられた携帯情報機器が知られている（例えば、特許文献１、特許文献２参照）。この時計は、時計表示以外に携帯情報機器の機能情報を針式又は機械的に表示することもできる。これにより、機械的な針式らしい高級感、或いはお洒落さを演出できるという特徴を有している。
【０００３】
また、筐体が開閉構造となるフリップ式の携帯情報機器において、筐体を閉じたときに外側となる部分に、機械的に時刻表示を行う時計又は針式のアナログ時計が設けられた携帯情報機器において、時計の電源と、携帯情報機器の電源とを共通化したものも知られている（例えば、特許文献３参照）。これは、携帯情報機器の消費電力に比べて、時計の消費電力は極めて小さいものであるため、時計用の電源を別途設ける必要はなく、携帯情報機器の電源と共通化することができるものである。
【先行技術文献】
【特許文献】
【０００４】
【特許文献１】特開２００４−０６９５６０号公報
【特許文献２】特開２００４−０７２４９６号公報
【特許文献３】特開２００４−０７２４９７号公報
【発明の概要】
【発明が解決しようとする課題】
【０００５】
ところで、特許文献１〜３に示す携帯情報機器にあっては、電子メール受信した場合に、電子メール着信数を時針を用いて表示している。また、留守番電話のメッセージがある場合に、留守番電話メッセージ数を時針を用いて表示している。さらに、電池残量を表示する場合に、時針を用いて表示している。このように、従来の携帯情報機器においては、モード切り替え操作を行うことにより、時計の指針を使用して、時刻以外の情報表示を行っている。
【０００６】
しかしながら、時刻表示以外の情報表示を行っている際には、時刻を表示することができないため、再度モード切り替え操作を行って時刻表示に切り替えなければならないという問題がある。また、秒針を時刻表示以外の情報表示に用いる場合、秒針、分針、時針をそれぞれ独立して動作を制御することができる構成にする必要があるが、３つの指針をそれぞれ独立させて運針の制御を行うには、時計の構成が複雑になるとともに、コストが増大してしまうという問題がある。
【０００７】
本発明は、このような事情に鑑みてなされたもので、時計の指針を使用して、時刻以外の情報表示を行う際に、同時に時刻表示を行うことができるアナログ時計、携帯情報機器及び運針制御方法を提供することを目的とする。
【課題を解決するための手段】
【０００８】
本発明は、指針の運針を行うモータと、前記モータに連結され、秒針、分針及び時針のそれぞれが接続された輪列と、表示するべき情報を入力する情報入力手段と、前記情報入力手段によって入力した情報を、前記秒針で表示するように、前記モータの回転を制御するとともに、現在時刻が正分になった時点で、前記情報を表示している位置から前記秒針を６０秒分進めるように前記モータの回転を制御する指針制御手段とを備えたことを特徴とする。
【０００９】
本発明は、請求項１に記載のアナログ時計を備えることを特徴とする携帯機器である。
【００１０】
本発明は、前記アナログ時計の秒針によって表示する情報は、前記携帯機器の状態を示す情報であることを特徴とする。
【００１１】
本発明は、指針の運針を行うモータと、前記モータに連結され、秒針、分針及び時針のそれぞれが接続された輪列と、表示するべき情報を入力する情報入力手段とを備えるアナログ時計における運針制御方法であって、前記情報入力手段によって入力した情報を、前記秒針で表示するように、前記モータの回転を制御するとともに、現在時刻が正分になった時点で、前記情報を表示している位置から前記秒針を６０秒分進めるように前記モータの回転を制御する指針制御ステップを有することを特徴とする。
【発明の効果】
【００１２】
本発明によれば、時計の使用形態によっては、時分表示のみで十分であることに着目し、秒針を用いて、時刻以外の情報を表示し、１分毎に高速運針で６０秒分秒針を進ませることで、時計の指針を使用して、時刻以外の情報表示を行う際に、同時に時刻表示を行うことができるという効果が得られる。また、３つの指針の運針を行うために３つのモータを備えることなく、１つのモータと一連の歯車（輪列）に接続された３つの指針によって運針される構成のままで、現在時刻と時刻以外の情報を同時に表示することを可能になるという効果が得られる。
【図面の簡単な説明】
【００１３】
【図１】本発明の一実施形態の構成を示すブロック図である。
【図２】図１に示す指針制御部１１の動作を示すフローチャートである。
【図３】時計の指針を使用して情報表示を行った表示例を示す説明図である。
【図４】時計の指針を使用して情報表示を行った表示例を示す説明図である。
【図５】時計の指針を使用して情報表示を行った表示例を示す説明図である。
【発明を実施するための形態】
【００１４】
以下、図面を参照して、本発明の一実施形態によるアナログ時計及びアナログ時計を備えた携帯情報機器を説明する。図１は同実施形態の構成を示すブロック図である。この図において、符号１は、電気式のアナログ時計（針式の機械時計でモータ等によって運針する時計）である。符号３は、携帯電話端末装置等の携帯情報機器であり、アナログ時計１が筐体の外側の一部に埋め込まれており、使用者が現在時刻を確認することができるようになっている。
【００１５】
符号１１は、アナログ時計１において秒を表示するための秒針である。符号１２は、分を表示するための分針である。符号１３は、時を表示するための時針である。符号１４は、アナログ時計１の処理動作を統括して指針（秒針１１、分針１２、時針１３）の運針を制御する指針制御部である。符号１５は、指針制御部１１が動作するために必要な情報が予め記憶されたＲＯＭである。符号１６は、指針制御部１１が動作するために必要な情報を記憶するのに使用するＲＡＭである。符号１７は、指針制御部１１から出力する運針用駆動パルスの情報に基づいて、運針用駆動パルスを出力するモータ駆動回路である。
【００１６】
符号１８は、秒針１１、分針１２、時針１３を運針するためのモータであり、モータ駆動回路１７から出力する運針用駆動パルスに基づいて回転が制御される。符号１９〜２４は、モータ１８の回転軸に接続された輪列（歯車の集合体）であり、５番車１９、４番車２０、３番車２１、２番車２２、日の裏車２３及び筒車２４から構成する。４番車２０のは、秒針１１が固定されている。２番車２２には、分針１２が固定されている。筒車２４には、時針が固定されている。符号２５は、水晶発振子を備え、運針タイミングの信号を出力するための基本周波数のパルス信号を出力する発信回路である。符号２６は、発振回路２５から出力される基本周波数のパルス信号を分周して１秒毎の運針タイミング信号に変換して出力する分周回路である。
【００１７】
符号３１は、携帯機器３の処理動作を統括して制御する制御部である。符号３２は、時刻以外の情報を表示するために切り替え操作を行うためのスイッチであり、例えばテンキー等から構成する。符号３３は、携帯機器３を動作させるための電力を供給する電源である電池（図示せず）の残量を検出する電池残量検出部である。符号３４は、携帯機器３を使用して、通信を行うための電波強度を検出する電波強度検出部である。
【００１８】
次に、図１を参照して、図１に示すアナログ時計１の基本動作を説明する。まず、指針制御部１４は、分周回路２６から１秒毎に出力される運針タイミング信号を入力し、この運針タイミング信号が入力されたタイミングで、モータ駆動回路１７に対して、１秒分秒針を運針する指示を出力する。これを受けて、モータ駆動回路１７は、予め決められている運針駆動パルスをモータ１８へ出力する。この運針駆動パルスを入力したモータ１８は、回転軸を１秒分回転させる。この回転軸の回転は５番車１９に伝達し、さらに４番車２０に伝達して、秒針１１が１秒分運針することになる。また、４番車２０の回転は、３番車２１、２番車２２に伝達して、分針１２が１秒（１／６０分）分運針することになる。さらに、２番車２２の回転は、日の裏車２３、筒車２４に伝達して、時針１３が１秒分運針することになる。このような動作によって、秒針１１、分針１２及び時針１３が時を刻むことになる。
【００１９】
次に、図１を参照して、図１に示す指針制御部１４が、携帯機器３の制御部３１から出力される電池残量値と電波強度値を入力する動作を説明する。電池残量検出部３３は、携帯機器３を動作させるための電力を供給している電池の電圧を検出し、検出した電圧値に基づいて、電池残量を例えば４段階の値で表現して制御部３１へ出力する。例えば、満充電状態を１、満充電状態から電圧が低下した状態を２、さらに電圧が低下した状態を３、動作できる最低電圧を４として出力する。一方、電波強度検出部３４は、移動通信の基地局から送信される電波の状態を検出し、検出した電波強度値に基づいて、電波強度を例えば５段階の値で表現して制御部３１へ出力する。例えば、電波強度が強い状態を１、電波強度１の状態から電波強度が低下した状態を２、さらに電波強度が低下した状態を３、通信を行うことができる最低電波強度を４、電波が受信できない状態を５として出力する。
【００２０】
制御部３１は、電池残量検出部３３から出力される電池残量の値と、電波強度検出部３４から出力される電波強度の値を入力し、それぞれの値を指針制御部１４へ出力する。指針制御部１４は、制御部３１から出力された電池残量の値と、電波強度の値を秒針で表示するために、秒針の位置を求める。
【００２１】
例えば、電池残量の値を秒針位置の５秒の位置から１７秒の位置で表現する場合、電池残量が１の場合は５秒の位置、電池残量が２の場合は９秒の位置、電池残量が３の場合は１３秒の位置、電池残量が４の場合は１７秒の位置で秒針を止めることで電池残量を表示する。文字盤には、５秒の位置から１７秒の位置に、電池残量を読み取ることができる目盛りが描かれている。また、電波強度の値を秒針位置の５５秒の位置から３９秒の位置で表現する場合、電波強度が１の場合は５５秒の位置、電波強度が２の場合は５１秒の位置、電波強度が３の場合は４７秒の位置、電波強度が４の場合は４３秒の位置、電波強度の値が５の場合は３９秒の位置で秒針を止めることで電波強度を表示する。文字盤には、５５秒の位置から３９秒の位置に、電波強度を読み取ることができる目盛りが描かれている。
【００２２】
指針制御部１４は、制御部３１から出力された電池残量の値と、電波強度の値に基づいて、秒針１１の位置をそれぞれ求め、電池残量の秒針位置を示す変数ｂと、電波強度の秒針位置を示す変数ｅにそれぞれ代入する。この変数ｂ、ｅは、ＲＡＭ１６に記憶し、制御部３１から電池残量の値と、電波強度の値が出力される度に、ＲＡＭ１６に記憶されている変数ｂ、ｅを更新する。この変数ｂ、ｅの値は、秒針が０秒の位置から何秒分運針を行えばよいかを示す値に相当する。
【００２３】
次に、図２を参照して、図１に示す指針制御部１４が、分針１２と時針１３により、時刻を表示するとともに、秒針１１により、電波強度表示と電池残量表示を行う動作を説明する。まず、時針１３と分針１２と秒針１１が２４時の位置にある状態で、指針制御部１４は、電源の交換等でリセットされると、初期化動作（ステップＳ１〜Ｓ３）を行う。初期化動作は、まず、現在時刻を表す変数Ｔｍに現在時刻の値を代入する（ステップＳ１）。現在時刻がｈ：ｍ’ｓ（ｈは時、ｍは分、ｓは秒）であるとすると、変数Ｔｍに代入する値は、（ｈ×６０＋ｍ）×６０＋ｓによって求める。指針制御部１４は、この変数Ｔｍの値をＲＡＭ１６に記憶し、現在時刻が更新される度に、ＲＡＭ１６に記憶している変数Ｔｍの値を更新する。また、時刻表示を表す変数Ｔｈに時刻表示の値を代入する（ステップＳ２）。変数Ｔｈに代入する値は、（ｈ×６０＋ｍ）×６０によって求める。すなわち、変数Ｔｈは、秒の成分を除いた値である。指針制御部１４は、この変数Ｔｈの値をＲＡＭ１６に記憶し、現在時刻が更新される度に、ＲＡＭ１６に記憶している変数Ｔｈの値を更新する。この時点で、時針１３と、分針１２は、現在時刻に合わせられており、秒針１１は、０秒の位置に止まっている。
【００２４】
次に、指針制御部１４は、ＲＡＭ１６から変数ｂの値（電池残量値）を読み出し、ｂステップ分（ｂ秒分）モータ１８を正転させる指示をモータ駆動回路１７に対して出力する。これを受けて、モータ駆動回路１７は、ｂステップ分秒針が運針するように運針駆動パルスをモータ１８に対して出力すると、モータ１８が回転して、秒針１１が進むことになる（ステップＳ３）。これにより、時針１３と分針１２は、現在時刻（ｈ時ｍ分）を指すことになり、秒針１１は、電池残量（ｂ）を指すことになる（ステップＳ４）。
【００２５】
続いて、指針制御部１４は、現在電池残量を表示しているときに、スイッチ３２が操作されて、制御部３１から電波強度表示のモードへの切り替え指示が出力されたか否かを判定する（ステップＳ５）。この結果、モード切り替え指示が出力されていなければ、指針制御部１４は、現在時刻が正分（秒針が０秒の位置になること）になった否かを判定する（ステップＳ６）。この判定の結果、正分になっていなければ、現在の状態を維持して、電池残量表示を続行する。一方、正分になった場合、指針制御部１４は、モータ駆動回路１７に対して、６０ステップ分（６０秒分）モータ１８を加速させて正転させる指示を出す。これを受けて、モータ駆動回路１７は、６０ステップ分秒針１１が運針するように運針駆動パルスをモータ１８に対して出力すると、モータ１８が回転して、秒針１１が現在位置から６０秒分進むことになる（ステップＳ７）。これにより、電池残量表示はそのまま維持して、分針１２と時針１３を６０秒分進めることができ、正確な現在時刻を刻むことができる。このとき、秒針１１は加速運針するため、使用者に対して、違和感を与えることなく運針を行うことができる（図３（ａ）参照）。
【００２６】
次に、指針制御部１４は、モード切り替え指示が制御部３１から出力される（ステップＳ５においてＹｅｓ）と、ＲＡＭ１６から変数Ｔｈ、変数ｅ及び変数Ｔｍの値を読み出し、Ｔｈ＋ｅ＋３０＞Ｔｍを満たすか否かを判定する（ステップＳ８）。この判定の結果、Ｔｈ＋ｅ＋３０＞Ｔｍを満たす場合、指針制御部１４は、（ｅ−ｂ）ステップ分モータ１８を正転させる指示をモータ駆動回路１７に対して出力する。これを受けて、モータ駆動回路１７が（ｅ−ｂ）ステップ分秒針１１が運針するように運針駆動パルスをモータ１８に対して出力すると、モータ１８が回転して、秒針１１が進むことになる（ステップＳ９）。一方、Ｔｈ＋ｅ＋３０＞Ｔｍを満たさない場合、指針制御部１４は、（ｅ−６０＋ｂ）ステップ分モータ１８を逆転させる指示をモータ駆動回路１７に対して出力する。これを受けて、モータ駆動回路１７が（ｅ−６０＋ｂ）ステップ分秒針１１が逆方向へ運針するように運針駆動パルスをモータ１８に対して出力すると、モータ１８が逆回転して、秒針１１が戻ることになる（ステップＳ１０）。これにより、時針１３と分針１２は、現在時刻（ｈ時ｍ分）を指すことになり、秒針１１は、電波強度の値（ｅ）を指すことになる（ステップＳ１１）。
【００２７】
続いて、指針制御部１４は、現在電波強度を表示しているときに、スイッチ３２が操作されて、制御部３１から電池残量表示のモードへの切り替え指示が出力されたか否かを判定する（ステップＳ１２）。この結果、モード切り替え指示が出力されていなければ、指針制御部１４は、現在時刻が正分になった否かを判定する（ステップＳ１３）。この判定の結果、正分になっていなければ、現在の状態を維持して、電波強度表示を続行する。一方、正分になった場合、指針制御部１４は、モータ駆動回路１７に対して、６０ステップ分（６０秒分）モータ１８を加速させて正転させる指示を出す。これを受けて、モータ駆動回路１７は、６０ステップ分秒針１１が運針するように運針駆動パルスをモータ１８に対して出力すると、モータ１８が回転して、秒針１１が現在位置から６０秒分進むことになる（ステップＳ１４）。これにより、電波強度表示はそのまま維持して、分針１２と時針１３を６０秒分進めることができ、正確な現在時刻を刻むことができる。このとき、秒針１１は加速運針するため、使用者に対して、違和感を与えることなく運針を行うことができる（図３（ｂ）参照）。
【００２８】
次に、指針制御部１４は、モード切り替え指示が制御部３１から出力される（ステップＳ１２においてＹｅｓ）と、ＲＡＭ１６から変数Ｔｈ、変数ｂ及び変数Ｔｍの値を読み出し、Ｔｈ＋ｂ＋３０＞Ｔｍを満たすか否かを判定する（ステップＳ１５）。この判定の結果、Ｔｈ＋ｂ＋３０＞Ｔｍを満たす場合、指針制御部１４は、（ｅ−ｂ）ステップ分モータ１８を逆転させる指示をモータ駆動回路１７に対して出力する。これを受けて、モータ駆動回路１７が（ｅ−ｂ）ステップ分秒針１１が逆方向へ運針するように運針駆動パルスをモータ１８に対して出力すると、モータ１８が逆回転して、秒針１１が戻ることになる（ステップＳ１６）。一方、Ｔｈ＋ｂ＋３０＞Ｔｍを満たさない場合、指針制御部１４は、（ｅ−６０＋ｂ）ステップ分モータ１８を正転させる指示をモータ駆動回路１７に対して出力する。これを受けて、モータ駆動回路１７が（ｅ−６０＋ｂ）ステップ分秒針１１が運針するように運針駆動パルスをモータ１８に対して出力すると、モータ１８が回転して、秒針１１が進むことになる（ステップＳ１７）。これにより、時針１３と分針１２は、現在時刻（ｈ時ｍ分）を指すことになり、秒針１１は、電池残量の値（ｂ）を指すことになる（ステップＳ４）。
【００２９】
なお、前述した説明においては、電池残量と電波強度の２つのモードを表示する例を説明した、図４に示すように、４つのモードを切り替えて表示するようにしてもよい。例えば、電池残量と電波強度に加えて、メール着信有無の表示とマナーモードＯｎ／Ｏｆｆ表示を行うようにしてもよい。この場合も毎正分に秒針１１を６０ステップ（６０秒）加速運針することにより、表示するべき情報を秒針１１で表示しつつ、分針１２と時針１３によって現在時刻を表示することができる。また、図５に示すように、図１に示すアナログ時計１の秒針１１は、子秒針の形態であってもよい。
【００３０】
このように、携帯機器で時刻確認を行う場合などでは、時分表示のみで十分であることに着目し、秒針を用いて、電池残量と電波強度を表示し、１分毎に高速運針で６０秒針を送ることで、時計の指針を使用して、時刻以外の情報表示を行う際に、同時に時刻表示を行うことができる。また、３つの指針の運針を行うために３つのモータを備えることなく、１つのモータと一連の歯車（輪列）に接続された３つの指針によって運針される構成のままで、時刻・電池残量・電波強度を同時に表示することを可能となる。
【００３１】
従来は、機能表示を行っている間、同時に時刻を表示することがはできなかったが、時分針により現在時刻を表示し、秒針は電池残量あるいは電波強度を表示し、毎正分に秒針を６０ステップ加速運針して、分針を１分進めることにより、１つのモータと一連の歯車（輪列）に接続された３つの指針によって運針される構成のままでも現在時刻と電池残量等の時刻以外の情報を同時に表示することが可能となる。
【００３２】
なお、図１に示す指針制御部１４の機能を実現するためのプログラムをコンピュータ読み取り可能な記録媒体に記録して、この記録媒体に記録されたプログラムをコンピュータシステムに読み込ませ、実行することにより情報表示処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【産業上の利用可能性】
【００３４】
本発明は、運針用駆動パルスによって、モータを駆動することにより機械式時計の指針を運針する電気式アナログ時計に適用可能である。
【符号の説明】
【００３５】
１・・・アナログ時計、１１・・・秒針、１２・・・分針、１３・・・時針、１４・・・指針制御部、１５・・・ＲＯＭ、１６・・・ＲＡＭ、１７・・・モータ駆動回路、１８・・・モータ、１９・・・５番車、２０・・・４番車、２１・・・３番車、２２・・・２番車、２３・・・日の裏車、２４・・・筒車、２５・・・発振回路、２６・・分周回路、３・・・携帯機器、３１・・・制御部、３２・・・スイッチ、３３・・・電池残量検出部、３４・・・電波強度検出部
【図１】
2010243449.tif 000003
【図２】
2010243449.tif 000004
【図３】
2010243449.tif 000005
【図４】
2010243449.tif 000006
【図５】
2010243449.tif 000007